(57)【要約】【課題】均一な面状の発光を得ることを目的とするバックライト装置、或いはそれを用いた液晶表示装置において、光を拡散するために使用される拡散板に反りが生じる場合がある。この反りの発生を防止することを主たる課題とする。【解決手段】光源と、前記光源から発せられた光を拡散する拡散板とを備えたバックライト装置或いはそれを用いた液晶表示装置において、上記拡散板を中空に形成する。【選択図】  図１
2004158224.tif 000002
【特許請求の範囲】
【請求項１】
光源と、前記光源から発せられた光を拡散する拡散板とを備えたバックライト装置において、
前記拡散板を中空に形成したことを特徴とするバックライト装置。
【請求項２】
前記拡散板の中空箇所である中空部に、
拡散板の光源からの光が入射する入射面側の平板である入射面側平板から前記入射面側平板と対向して配置される放射面側平板に向かって延設されるリブ、及び／又は前記放射面側平板から前記入射面側平板に向かって延設されるリブを配置したことを特徴とする請求項１記載のバックライト装置。
【請求項３】
前記拡散板の中空箇所である中空部に、
拡散板の光源からの光が入射する入射面側の平板である入射面側平板、及び前記入射面側平板と対向して配置される放射面側平板の双方に連接するリブを備えたことを特徴とする請求項１に記載のバックライト装置。
【請求項４】
請求項２又は請求項３記載のバックライト装置において、リブと各平板との接合部は曲面状に形成されていることを特徴とするバックライト装置。
【請求項５】
請求項２から請求項４の何れか一項に記載のバックライト装置において、前記リブは、前記拡散板への入射光の輝度が高い箇所に対して配置されていることを特徴とするバックライト装置。
【請求項６】
請求項１から請求項３の何れか一項に記載のバックライト装置と、
該バックライト装置が備える前記拡散板の放射面に対向して配置され光の透過率を可変する液晶パネルと、を有することを特徴とする液晶表示装置。
【発明の詳細な説明】
【０００１】
【発明の属する技術分野】
本発明は、光透過型表示装置の照明装置であるバックライト装置、或いは、当該バックライト装置を用いた液晶表示装置に関するものであり、特にそれらに用いられる拡散板の形状に特徴を備えるものである。
【０００２】
【従来の技術】
バックライト装置は大きく分けて、拡散板の光を入射する面（以下、入射面と称する）に対して光源が対向した位置にある直下型バックライト装置と、入射面に対向して導光板を配置し、導光板の端部側に光源を配置するサイドエッジ型バックライト装置がある。
【０００３】
このいずれのバックライト装置も、その目的は面状の均一な発光を拡散板の光を放射する面（以下、放射面と称する）より行うことであり、前記拡散板は入射光をより均一な面状の光に変換する機能を有する。
【０００４】
この拡散板を使用するバックライトの構成ついて直下型バックライトを例に取り図７を用いて説明する。
【０００５】
図７は従来のバックライト装置５０を示す断面図である。図７において、バックライト装置５０は、複数の発光体が略均等な間隔を供えて複数配置された光源５１と、光源５１を構成する各発光体と対向して配置され光源５１から発せられた光を拡散板５５の入射面５５ａ側へ反射する反射板５３と、反射板５３に光源５１を支持するための光源支持具５４と、光源５１に対して反射板５３が配置された側とは相対する側に光源５１から所定の距離離間して配置される拡散板５５と、上記各構成を保持する枠体５６とから成るものである。
【０００６】
各構成について説明すると、光源５１を構成する発光体は、通電することによって光を発する素子であり、蛍光灯やＬＥＤ（Ｌｉｇｈｔ  Ｅｍｉｔｔｉｎｇ  Ｄｉｏｄｅ）が用いられる。
【０００７】
また、反射板５３は光を高い反射率で光を反射する板状体であり、高反射率材料を含有した樹脂材料をシート状に加工した反射シート５７を、所定の強度を備えるアルミニウム等からなる一面が開口した箱状の筐体５２の開口部と対抗する面に取付けることにより形成される。
【０００８】
そして、光源支持具５４は樹脂材料等の絶縁性材料を所定の形状に成型して反射板に係止するための係止部及び光源５１を支持するための支持部を設け、係止部を用いて自らを反射板に係止し、支持部を用いて光源５１を支持することにより、光源５１を反射板５３に支持するものである。
【０００９】
拡散板５５は、光源５１から発せられた光或いは反射板５３が反射した光を均一な面状の光に変換するためのもので、例えばアクリル等の高透過率材料に高拡散率の材料を混合し、約２ｍｍ程度の厚さの板状に成型することによって製造されるものである。
【００１０】
また、この拡散板５５においては、光源５１に対向して配置した際に、拡散板５５の光源５１に対向する面が光を入射する入射面５５ａとなり、拡散板５５のうち該入射面５５ａに対向する面が光を放射する放射面５５ｂとなる。
【００１１】
枠体５６は、各構成を所定の位置に維持するための構造体であり、例えばアルミニウムをダイキャスト成型したものが用いられる。
【００１２】
以上のような構成を有するバックライト装置５０を運転し光源５１を発光させると、光源５１から発せられた光は、直接或いは反射板５３によって反射した後、拡散板の入射面５５ａに入射し、拡散板５５内で拡散された後、放射面５５ｂから放射され均一な面状の発光となる。しかし、この光源５１を長時間運転すると次のような問題が生じる。
【００１３】
すなわち、光源５１を長時間運転した場合には、光源５１を収納した箇所の温度が上昇し、拡散板５５の入射面５５ａと放射面５５ｂとの間に温度差が生じ、それによって、入射面５５ａ側が放射面５５ｂ側より伸び、拡散板の光源５１側が凸となるように反ってしまうという問題が発生する。
【００１４】
この反りが発生すると、拡散板５５と光源５１との距離が近いところが部分的に生じ、その部分が他の部分よりも明るくなってしまうことになり、放射面５５ａから放射される光が不均一になってしまう。
【００１５】
この拡散板５５に反りが発生する原因は他にもある。例えば、光源の点灯時には、バックライト装置内が暖められ、拡散板の光源配置側が乾燥するため、拡散板の表裏における吸水量に差が生じることになる。この吸水量の差は寸法差となって現れる。従って、拡散板の表裏に寸法差が生じ、結果として反りを発生させる。また、その他に、大型の拡散板においてはその自重が反りの原因の一つとなる。
【００１６】
これらのいずれの原因によっても拡散板が反ると、上記と同様光が不均一に照射される問題が生じる。又、内部要因による反りの他に、外部要因による反りも問題となる。
【００１７】
例えば、拡散板を備えたバックライト装置を用いた液晶表示装置を輸送する際などに不意な衝撃が加わることがあるが、衝撃が加わった場合に拡散板が液晶パネル配置側に瞬間的に反る場合がある。このとき、拡散板が液晶パネルに接触してしまうと液晶パネルが破損するという問題を引き起こすことになる。
【００１８】
このような問題を解決するために、例えば特許文献１、特許文献２においては拡散板５５が光源５１側に反らないようにするために、反射板から拡散板に向かって伸びる突起を設け、拡散板の反りを防止する発明が開示されている。
【００１９】
【特許文献１】
特開平１０−３２６５１７号公報
【特許文献２】
特開２００１−２１０１２６号公報
【００２０】
【発明が解決しようとする課題】
しかし、上記の特許文献に記載される発明は、拡散板が反った場合に拡散板が突起に接触してその反りを防止するものであるため、拡散板のうち突起に接触している点からは光が入らない。このとき、放射面５５ｂから見ると、突起が接触している部分だけ輝度が低下し、均一な面状の発光ができないという問題がある。
【００２１】
また、特許文献に記載された方法以外に拡散板の反りを防止する方法として、拡散板を例えば１０ｍｍ程度にまで厚くするということも考えられるのであるが、この場合はバックライト装置が非常に重くなり現実的ではない。
【００２２】
そこで、このような状況に鑑み本発明は、拡散板が反り難く、かつ軽量のバックライト装置、或いはそれを用いた液晶表示装置を提供することを目的としている。
【００２３】
【課題を解決するための手段】
上記の問題を解決するために、本発明は、光源と、前記光源から発せられた光を拡散する拡散板とを備えたバックライト装置において、前記拡散板を中空に形成したことを特徴とするバックライト装置とする。
【００２４】
この構成によると、拡散板が中実である場合に比較して軽量になるとともに、拡散板の強度が高いことから拡散板に反りが発生し難い。従って、拡散板の反りに起因する輝度斑が発生しにくいバックライト装置とすることができる。
【００２５】
また、このバックライト装置の良好な態様の一つとして、上記バックライト装置の構成に加えて、前記拡散板の中空箇所である中空部に、拡散板の光源からの光が入射する入射面側の平板である入射面側平板から前記入射面側平板と対向して配置される放射面側平板に向かって延設されるリブ、及び／又は前記放射面側平板から前記入射面側平板にむかって延設されるリブを配置したことを特徴とするバックライト装置とする。
【００２６】
或いは、上記バックライト装置の構成に加えて、前記拡散板の中空箇所である中空部に、拡散板の光源からの光が入射する入射面側の平板である入射面側平板、及び前記入射面側平板と対向して配置される放射面側平板の双方に連接するリブを備えたことを特徴とするバックライト装置とする。
【００２７】
これらの構成によれば、拡散板の強度をさらに増加させることができるため、より確実に反りの発生を防止することが可能である。
【００２８】
また、上記ように中空部にリブを設ける場合には、リブと各平板との接合部を曲面状に形成するようにする。リブと平板との接合部に角を残しておくと、この角付近では周辺に比べて透過率の著しく異なるようになり輝度斑の原因となるが、この角を無くし、リブと平板との接合部を曲面で形成することにより、この輝度斑の発生を防止することができる。
【００２９】
そして、更に好適には、前記リブを、前記拡散板への入射光の輝度が高い箇所に対して配置する。これによって、入射光の輝度を更に均一化することが可能となる。
【００３０】
また、上記したようなバックライト装置は主に液晶表示装置に用いられるが、液晶表示装置においてバックライト装置の拡散板に反りが発生すると表示画面に輝度斑が生じる虞があり、画質を低下させ好ましくない。
【００３１】
そこで、上記した何れかのバックライト装置に加えて、該バックライト装置が備える前記拡散板の放射面に対向して配置され光の透過率を可変する液晶パネルを有することを特徴とする液晶表示装置とする。この構成によれば拡散板が反り難いため、この反りに応じて発生する表示画面の輝度斑が生じ難く、画質が低下し難い液晶表示装置とすることができる。
【００３２】
本発明の実施の形態について図面を参照して説明する。なお、上述のとおりバックライト装置は大きく分けて、拡散板の入射面に対して光源が対向した位置にある直下型バックライト装置と、拡散板の入射面と対向して導光板を配置し、導光板の端部側に光源を配置するサイドエッジ型バックライト装置がある。そこで、以下には実施の形態１として本発明を直下型バックライト装置に適用した例を示し、実施の形態２として本発明をサイドエッジ型バックライト装置に適用した例を示す。
【００３３】
（実施の形態１）
図１は、本発明の実施の形態１にかかる直下型バックライト装置を示す断面図である。なお、実施の形態１の直下型バックライト装置１は、従来の技術で示した図６にかかる直下型バックライト装置と概略構成は同様であるため、同一構成については同一の符号を付して説明を省略し、相違点である拡散板の形状について説明する。
【００３４】
その相違点とは、すなわち、従来の技術で示した構成では拡散板が中実のものであったが、本実施の形態１の構成では拡散板の入射面５５ａと放射面５５ｂとの間に中空部１０が備えた拡散板１１を用いている点である。
【００３５】
このように中空部１０が備えられた拡散板１１は、中空部１０を備えることにより入射面１１ａと放射面１１ｂが別の平板に在ることになる。ここで、以下の説明において、入射面１１ａが備えられる平板を入射面側平板１２ａと称し、放射面１１ｂが備えられる平板を放射面側平板１２ｂと称することにする。
【００３６】
そして、この中空部１０を備えた拡散板１１を用いた直下型バックライト装置１を長時間動作した場合には、主に入射面１１ａと、該入射面１１ａと相対する面１１ｃとの間に主に温度差が生じることになり、入射面側平板１２ａは従来の技術で説明した場合と同様に光源５１配置側が凸となるように反ろうとする。
【００３７】
しかし、中空部１０が配置されているということは、すなわち、入射面側平板１２ａと放射面側平板１２ｂとが互いに端部で連結されていることであり、そのため、平板を反らそうとする曲げ応力に対する強度が、平板の端部を連結していないものと比較して非常に高い。
【００３８】
従って、上記のとおり光源５１の連続発光に伴う温度上昇により、拡散板に反りが発生しようとしても、容易に反ることがなく、しかも中実に形成した拡散板に比較して軽量に形成できる。
【００３９】
なお、この拡散板１１の反り難さは強度の高さに起因するものであるため、光源５１の連続運転による温度上昇以外の理由による反りに対しても、その反りの発生を防止する効果は同様に生じる。また、このような拡散板１１は、押し出し成型や射出成型等の成型手段によって形成することが可能である。
【００４０】
（実施の形態２）
上記のように中空部１０を備えた拡散板は、直下型バックライト装置に限らずサイドエッジ型バックライト装置に対しても使用しうる。このサイドエッジ型バックライトに使用した場合の一例について図２を用いて説明する。なお、実施の形態２の説明において、実施の形態１と同一の構成については同一の符号を付し説明を省略する。
【００４１】
サイドエッジ型バックライト装置２０の筐体２１は、長方形状の底板２６の向かい合う２辺から略垂直に立ち上がる立ち上がり片２２を備え、更にそれぞれの立ち上がり片２２の底板２６側と連接された側とは相対する側の端部から、それと対向する辺に向かって伸びる延設片２３を備えている。
【００４２】
そして、底板２６、立ち上がり片２２及び延設片２３によって囲まれた凹所２４にはそれぞれ光源５１を配置している。なお、この光源５１は実施の形態１に記載したものと同様である。
【００４３】
さらに、それぞれの光源５１の周囲には、半円状の反射部材２５、２５を配置し、反射部材の開口は凹所２４の開口と同様の方向に向けて配置する。また、この反射部材２５、２５には、光源５１と対向している面に高反射率材料を配置したものが用いられる。
【００４４】
そして、相対する反射部材２５、２５の開口の間に、例えばアクリルのような光透過性の良い材料からなり、且つ反射部材の開口の幅と同じ厚みを有する導光板２７が配置される。
【００４５】
また、向かい合う延設片２３双方の光源５１配置側とは相対する側の面に亘って拡散板１１が配置され、さらには導光板２７拡散板１１配置側とは相対する側の面に対向して反射シート５７が配置されている。
【００４６】
以上が、サイドエッジ型バックライト装置２０の構成である。このような構成のサイドエッジ型バックライト装置２０の動作について説明すると、光源５１を運転することにより、光源５１から発せられた光は直接或いは反射部材２５により反射され導光板２７に入射される。そして、導光板２７に入射された光は導光板２７内を通過し各面から放射される。その際に導光板２７の拡散板１１と対向している面以外の面から放射されて光は、反射シート５７或いは反射部材２５によって再び反射されて導光板２７に入射することになるため、減衰する光を除いて凡その光は拡散板１１と対向する面から放射されることになる。
【００４７】
そして、導光板２７の拡散板１１と対向する面から放射された光は、拡散板１１の導光板２７と対向する側の面である入射面１１ａから入射され、中空部１０を通過し、拡散板１１の導光板２７配置側とは相対する側の面である放射面１１ｂから放射されることになる。
【００４８】
そして、連続して光源５１を点灯して入射面１１ａの温度が上昇すれば、拡散板１１が反ろうとする場合があるが、中空部１０を備える構成とすることにより実施の形態１と同様に拡散板１１の強度が従来の技術のものより高いため、容易に反ることがない。また、同時に中実に拡散板１１を形成する場合に比較して、軽量に保つことが可能である。
【００４９】
この場合においても、この拡散板１１の反り難さは強度の高さに起因するものであるため、光源５１の連続運転による温度上昇以外の理由による反りに対しても、その反りの発生を防止する効果は同様に生じる。
【００５０】
（実施の形態３）
次に、実施の形態１において用いた中空部１０を有する拡散板１１に変形を加えた例について説明する。そのため、実施の形態１と異なる点はその相違点のみ説明し、その他の説明は実施の形態１及び従来の技術の説明を援用する。なお、本変形は実施の形態２についても適用可能である。
【００５１】
図３は、実施の形態１に記載した拡散板１１の一部に変形を加えた拡散板６０を直下型バックライト装置７０に用いた例を示す断面図である。実施の形態１に記載した拡散板１１と、本例における拡散板６０の相違点は、拡散板１１では中空部１０内には特にリブを設けていなかったが、拡散板６０では内部にリブ６１を設けている点が相違している。
【００５２】
このリブ６１の配置には種々の形態があり、その一つは、入射面側平板１２ａと放射面側平板１２ｂとを連結するリブ６１を配置するものである。このようにリブ６１を配置することにより、入射面側平板１２ａ及び放射面側平板１２ｂの双方が更に反り難くなるため、実施の形態１の拡散板１１よりも反り防止効果が高い。
【００５３】
また、他の配置は、例えば図４の断面図に示すように、入射面側平板１２ａと放射面側平板１２ｂとを連結せずに、一方の平板から他方の平板に向かって延びるリブ６１ｂを設けた拡散板６０ｂを拡散板６０に代えて配置するものである。このリブ６１ｂによっても、リブ６１ｂを備えた平板の強度が向上し、反り防止効果を得ることができる。また、リブ６１ｂを用いた場合はリブ６１を用いた場合に比べて、両平板にリブが連接されていないため、入射面から放射面に至る透過率が前面に渡って一定に近くなる。従って、放射面から放射される光に輝度斑が生じ難い。
【００５４】
なお、図４には入射面側平板１２ａにリブ６１ｂを配置したものを示しているが、これに限られるものではなく、放射面側平板１２ａに配置した場合は放射面側平板１２ｂの強度が上昇し、両者に設けた場合には両者の強度が上昇することになる。また、リブ６１又はリブ６１ｂは、光源５１の配置状況に対応して配置することが望ましく、単数であっても複数であっても良い。
【００５５】
さらに、リブを設ける場合は、図３の拡大図に示すように、リブと平板の接合部は滑らかな曲面状にして、角のないものとすることが望ましい。角が存在すると、角近傍で光の透過率が急激に変化するため、面状の均一な発光の妨げとなる虞があるが、滑らかな曲面状に形成し角をなくすことにより透過率の変化も滑らかにさせ、輝度斑の発生を防止しうる。
【００５６】
（実施の形態４）
直下型バックライトに拡散板６０を用いる場合においては、リブの配置に変形を加えることにより、更に均一な発光のバックライト装置とし得る。このリブの配置に特徴のある実施の形態について、実施の形態４として説明する。実施の形態４では、その構成の説明において図３に示した例との相違点についてのみ説明し、他の構成については実施の形態１〜実施の形態３の説明を援用し説明を省略する。
【００５７】
図５は、実施の形態４にかかる直下型バックライト装置７０ｂにかかる断面図である。図３にかかる直下型バックライト装置７０との構成の違いについて述べると、直下型バックライト装置７０では光源５１の配置位置に対するリブ６１の配置位置についてはなんらの工夫をしていないのに対し、直下型バックライト７０ｂでは光源５１の配置位置に対向してリブ６１を配置する点が相違している。このように配置すると、拡散板を構成する材料は中空に比べて光の透過率が低いため、光源に近い箇所は光の透過率が低く、光源から遠い箇所は透過率が高い拡散板６０ｃとすることができる。
【００５８】
直下型バックライト装置７０ｂの光源５１を点灯すると、光源５１から発せられた光は、直接或いは反射シート５７により反射されて拡散板６０ｃに入射される。このとき、拡散板６０ｃへ入射される光は、光源５１に近いほど明るく、光源５１から遠いほど暗い。
【００５９】
しかし、拡散板６０ｃは、光源５１に近い位置の透過率が低く、光源５１から遠い位置の透過率が高い特性を備えているため、入射光の輝度斑を改善し、より均一な光を放射することが可能となる。
【００６０】
このような拡散板６０ｃは、一般に入射光の輝度斑が大きい直下型バックライト装置に用いることにより顕著な効果を得ることができるが、サイドエッジ型バックライト装置であっても、光源や導光板の配置、形状、特性等によって導光板から放射される光に輝度斑がある場合は使用しうる場合がある。
【００６１】
また、実施の形態３の他の例として示したリブ６１ｂについても、上記と同様の配置態様を取ることにより、同様の効果を生じさせることができる。
【００６２】
（実施の形態５）
液晶表示装置は、表示画面の輝度が表示画面の全面に亘って一定であることが望ましいが、拡散板に反りが生じてしまうと、その反りによって拡散板と導光板或いは光源との距離が変化することになり、表示画面の輝度が全面に亘って一定にならず画質が低下するという問題が生じる。
【００６３】
そこで、上記した実施の形態１から実施の形態４に記載したバックライト装置を液晶表示装置に使用することにより、拡散板の反りを防止できるため、拡散板の反りに起因する画質の低下しない液晶表示装置とすることが出来る。
【００６４】
以下には、実施の形態１の直下型バックライト装置１を液晶表示装置に用いた例について説明する。図６に示すように液晶表示装置８０は、直下型バックライト装置１の拡散板１１の放射面１１ｂに対向する位置に、光学シート８１を配置し、光学シート８１の拡散板１１配置側とは相対する側に液晶パネル８２を配置し、そして、直下型バックライト装置１の筐体５２及び筐体５６を覆うように背面カバー８３を配置し、液晶パネル８２の非有効画面を覆う前面カバー８４を背面カバー８３に取り付けたものである。
【００６５】
各構成について説明すると、光学シート８１は、液晶パネル８２が要求する入射光になるように、拡散板１１から放射された光を偏光するものであり、例えば偏光シートなどが使用される。
【００６６】
また、液晶パネル８２は、例えば薄膜トランジスタ（ＴＦＴ）等により液晶セルに可変電圧を印加することにより、液晶セル内の液晶材料（液晶分子）の誘電率異方性を利用して長軸方向（ダイレクター）を変化させ、液晶セルを透過する光の偏光方向を可変し、液晶セル透過する光の光量を制御するものである。これにより、各画素の輝度を表示させたい階調輝度に制御することができ、画像表示を行うことができる。
【００６７】
そして、背面カバー８３は例えば樹脂材料を所定の形状に形成したものであり、液晶表示装置８０としては背面側の外観部品に相当する。さらに、前面カバー８４は、背面カバー８３と四辺において対向しており、背面カバー８３と前面カバー８４とを取り付けることにより、液晶パネル８２の表示画面８５を除いて、バックライト装置等を覆うものである。
【００６８】
以上のように形成された液晶表示装置８０は、光源５１を点灯するとともに、液晶パネル８２を所望の状態に駆動することにより、光源から放出した光を所定の状態に偏光して階調付けし表示画面８５に画像を表示させる。
【００６９】
この液晶表示装置８０においても拡散板が反ることがあったが、拡散板１１を使用することにより、反りが発生せず表示画面８５に輝度斑の発生しない高画質な液晶表示装置とすることができる。
【００７０】
また、拡散板の強度が高く反りが生じ難いため、不意な衝撃が加わり拡散板が液晶パネルに接触するようなことも防止しうる。
【００７１】
【発明の効果】
以上のとおり本発明のバックライト装置によれば、拡散板が中実である場合に比較して軽量に形成できるとともに、拡散板の強度が高いことから反りが発生し難いため、拡散板の反りに起因する輝度斑が発生しにくいバックライト装置とすることができる。
【００７２】
また、本発明の液晶表示装置によれば、液晶表示装置の備える拡散板に反りが発生し難いことから、拡散板の反りに起因する輝度斑が発生し難く、表示画面に表示される画像の品位が良い液晶表示装置とすることができる。
【００７３】
また、同時に、輸送などの際に衝撃的な応力が加わったとしても、液晶パネルに割れが生じ難い。
【図面の簡単な説明】
【図１】本発明の実施の形態１にかかる直下型バックライト装置を示す断面図である。
【図２】本発明の実施の形態２にかかるサイドエッジ型バックライト装置を示す断面図である。
【図３】本発明の実施の形態３にかかるバックライト装置の一例を示す断面図である。
【図４】本発明の実施の形態３にかかるバックライト装置の他の例を示す断面図である。
【図５】本発明の実施の形態４にかかる液晶表示装置を示す断面図である。
【図６】本発明の実施の形態５にかかる液晶表示装置を示す断面図である。
【図７】従来の技術にかかるバックライト装置を示す断面図である。
【符号の説明】
１、５０、７０、７０ｂ  直下型バックライト装置
１０  中空部
１１、５５、６０、６０ｂ、６０ｃ  拡散板
１１ａ  入射面
１１ｂ  放射面
１２ａ  入射面側平板
１２ｂ  放射面側平板
２０  サイドエッジ型バックライト装置
２７  導光板
５１  光源
５２  筐体
５３  反射板
５４  光源支持具
５６  枠体
５７  反射シート
６１、６１ｂ  リブ
８０  液晶表示装置
８１  光学シート
８２  液晶パネル
【図１】
2004158224.tif 000003
【図２】
2004158224.tif 000004
【図３】
2004158224.tif 000005
【図４】
2004158224.tif 000006
【図５】
2004158224.tif 000007
【図６】
2004158224.tif 000008
【図７】
2004158224.tif 000009